(57)【要約】【課題】既存の監視システムに対して監視室の工事を行うことなく簡便に移動体通信回線への映像送信機能を導入することを可能とする遠隔監視用切替装置を提供する。【解決手段】ビデオカメラから映像信号が入力される映像入力端子１５、映像入力端子１５から入力された映像信号を出力する映像出力端子１７、映像入力端子１５から映像出力端子１７に接続する線１６に分岐して接続された映像分岐スイッチ回路２３、各映像分岐スイッチ回路２３に接続され通信回線中継器７の映像入力端子３１に接続される映像分岐出力端子２５、通信回線中継器７の制御出力端子３１に接続される制御入力端子２９、制御入力端子２９から入力されるＤＴＭＦ信号に基づき、当該ＤＴＭＦ信号により特定される一つのビデオカメラに対応する映像分岐スイッチ回路２３を選択的に接続状態とする制御を行う分岐出力切替制御回路３０を備えた。【選択図】        図２
2006042093.tif 000002
【特許請求の範囲】
【請求項１】
複数のビデオカメラと、前記各ビデオカメラに映像伝送線により接続されたモニタ装置とを有し、前記各ビデオカメラから出力される映像信号を、前記モニタ装置により監視する監視システムにおいて、
移動体通信回線に送信する映像信号が入力される中継器映像入力端子、及び前記移動体通信回線から受信されるＤＴＭＦ（Dial Tone Multi Frequency）信号が出力される中継器制御出力端子を具備し前記移動体通信回線との間で通信を行う通信回線中継器を、前記映像伝送線の途中に接続するために使用される遠隔監視用切替装置であって、
前記各ビデオカメラからの映像信号が入力される複数の映像入力端子と、
前記各映像入力端子に対応して設けられ、前記映像入力端子から入力された映像信号を出力する複数の映像出力端子と、
前記各映像入力端子に対応して、前記映像入力端子から前記映像出力端子に接続する線に分岐して接続された映像分岐スイッチ回路と、
前記各映像分岐スイッチ回路に接続された端子であって、前記通信回線中継器の中継器映像入力端子に接続される映像分岐出力端子と、
前記通信回線中継器の中継器制御出力端子に接続される制御入力端子と、
前記制御入力端子から入力されるＤＴＭＦ信号に基づき、当該ＤＴＭＦ信号により特定される一つの前記ビデオカメラに対応する前記映像分岐スイッチ回路を選択的に接続状態とする制御を行う分岐出力切替制御回路と、
を備えていることを特徴とする遠隔監視用切替装置。
【請求項２】
複数のビデオカメラと、前記各ビデオカメラに映像伝送線及び音声伝送線により接続されたモニタ装置とを有し、前記各ビデオカメラから出力される映像信号及び音声信号を、前記モニタ装置により監視する監視システムにおいて、
移動体通信回線に送信する映像信号が入力される中継器映像入力端子、前記移動体通信回線に送信する音声信号が入力される中継器音声入力端子、及び前記移動体通信回線から受信されるＤＴＭＦ信号が出力される中継器制御出力端子を具備し前記移動体通信回線との間で通信を行う通信回線中継器を、前記映像伝送線及び前記音声伝送線の途中に接続するために使用される遠隔監視用切替装置であって、
前記各ビデオカメラからの映像信号が入力される複数の映像入力端子と、
前記各映像入力端子と対となって設けられ、前記各ビデオカメラからの音声信号が入力される複数の音声入力端子と、
前記各映像入力端子に対応して設けられ、前記映像入力端子から入力された映像信号を出力する複数の映像出力端子と、
前記各音声入力端子に対応して設けられ、前記音声入力端子から入力された音声信号を出力する複数の音声出力端子と、
前記各映像入力端子に対応して、前記映像入力端子から前記映像出力端子に接続する線に分岐して接続された映像分岐スイッチ回路と、
前記各音声入力端子に対応して、前記音声入力端子から前記音声出力端子に接続する線に分岐して接続された音声分岐スイッチ回路と、
前記各映像分岐スイッチ回路に接続された端子であって、前記通信回線中継器の中継器映像入力端子に接続される映像分岐出力端子と、
前記各音声分岐スイッチ回路に接続された端子であって、前記通信回線中継器の中継器音声入力端子に接続される音声分岐出力端子と、
前記通信回線中継器の中継器制御出力端子に接続される制御入力端子と、
前記制御入力端子から入力されるＤＴＭＦ信号に基づき、当該ＤＴＭＦ信号により特定される一つの前記ビデオカメラに対応する前記映像分岐スイッチ回路を選択的に接続状態とするとともに、当該ビデオカメラに対応する音声分岐スイッチ回路を選択的に接続状態とする制御を行う分岐出力切替制御回路と、
を備えていることを特徴とする遠隔監視用切替装置。
【発明の詳細な説明】
【技術分野】
【０００１】
本発明は、携帯電話等の移動体通信装置を利用して遠隔監視する遠隔監視システムにおいて、ビデオカメラにおいて撮像された映像信号を移動体通信回線に接続するための遠隔監視用切替装置に関する。
【背景技術】
【０００２】
コンビニエンス・ストアなどにおいては、防犯その他の目的により室内や室外、インターフォンなどにカメラを設置して監視する監視システムが広く用いられている。
【０００３】
図５は通常の広く使用されている監視システムを表す図である。図５（ａ）において、監視システム１００は、複数台のビデオカメラ１０１により撮像された映像信号及び音声信号を監視室１０２で受信し、監視を行う構成とされている。
【０００４】
監視室１０２には、カメラ切替装置１０３、録画装置１０４、及びディスプレイ１０５が設置されている。カメラ切替装置１０３には、各ビデオカメラ１０１の映像信号出力線１０６及び音声信号出力線１０７が接続されている。カメラ切替装置１０３は、これらの信号線に接続されたビデオカメラ１０１を選択して何れのビデオカメラ１０１が出力する映像信号及び音声信号を受け付けるかを選択的に切り換える。
【０００５】
録画装置１０４は、カメラ切替装置１０３を介して入力されるビデオカメラ１０１の映像・音声信号をビデオテープ等に録画する。ディスプレイ１０５は、録画装置１０４に入力される映像信号を表示する。
【０００６】
ところで、近年、動画像の伝送が可能な携帯電話回線等の移動体通信回線が普及してきている。そこで、かかる移動体通信回線を利用してビデオカメラ１０１の映像を遠隔地で受信することにより、遠隔監視を行う監視システムが考案されている（例えば、特許文献１〜５参照）。
【０００７】
例えば、図６は、特許文献１記載の遠隔監視システム（緊急通報監視システム）の構成を表す図である。特許文献１記載の遠隔監視システム１１０は、複数のビデオカメラ１０１、セットボックス１１１、及びインターネット１１３又は公衆回線を介してセットボックスに接続された携帯電話１１２を備えた構成からなる。
【０００８】
遠隔監視システム１１０では、ビデオカメラ１０１から出力される映像信号は、セットボックス１１１に入力される。セットボックス１１１内において、ＰＣ機能１１１ａがビデオカメラ１０１の選択と入力される映像信号のデジタル化を行う。そして、ＰＣ機能１１１ａにより選択されたビデオカメラ１０１から入力されデジタル化された映像信号は、電話機能１１１ｂにより、インターネット１１３又は公衆電話回線１１４を介して携帯電話１１２に送信される。これにより、遠隔地においてもビデオカメラ１０１による監視が可能とされている。
【特許文献１】特開２００４−１７２７７７号公報
【特許文献２】特開２００１−２９２４４２号公報
【特許文献３】特開２００２−５１１５６号公報
【特許文献４】特開２００３−２３４８４８号公報
【特許文献５】特開２００３−３２３７７号公報
【発明の開示】
【発明が解決しようとする課題】
【０００９】
しかしながら、上記従来の遠隔監視システムを図５（ａ）に示したような従来の既存の監視システムに用いる場合、監視室内のシステム全体を入れ替えるか、又は、図５（ｂ）のように、録画装置１０４，カメラ切替装置１０３，若しくはディスプレイ１０５の外部出力端子に接続して使用する必要がある、
【００１０】
しかし、監視室のシステムの入れ替えを行う場合には、既存の監視システムを廃棄するため無駄が多い。また、既存の監視システムを改造してインターネットや公衆回線を介した遠隔地への映像送信機能を付加する場合、システム導入のための労力がかかる。
【００１１】
また、図５（ｂ）のように従来の監視システムの録画装置１０４等の外部出力端子に遠隔監視システムの映像送信装置を接続して使用する場合、接続に使用可能な外部出力端子の数に限りがある。従って、例えば、録画装置１０４の外部出力端子のすべてに既にディスプレイ１０５が１台ずつ接続されており余った外部出力端子がない場合に一部のディスプレイ１０５を取り外す必要が生じる。
【００１２】
また、従来の監視システムの録画装置１０４等の外部出力端子に遠隔監視システムの映像送信装置を接続して使用する場合（図５（ｂ）参照）には、携帯電話から遠隔的にビデオカメラ１０１を切り換えることができない。もし、携帯電話から遠隔的にビデオカメラ１０１を切り換えようとした場合、携帯電話からカメラ切替装置１０３の切り替えを制御する専用の装置を新たに別途導入する必要がある。
【００１３】
また、複数台の映像送信装置を録画装置１０４等の外部出力端子に並列に接続して、複数の携帯電話から同時にビデオカメラ１０１の映像を監視できるようにしたい場合がある。斯かる場合、録画装置１０４等に接続可能な映像送信装置の数は、録画装置１０４等の外部出力端子の数に制限される。また、録画装置１０４等の外部出力部分を改造して、より多くの外部出力を取り出せるようにすることも可能ではあるが、そのような場合、録画装置１０４等の改造を行うための技術的知識が必要であり手軽にできるものではない。
【００１４】
更に、複数台の映像送信装置を録画装置１０４等の外部出力端子に並列に接続して、複数の携帯電話から同時にビデオカメラ１０１の映像を監視できる構成とした場合、カメラ切替装置１０３が１台であると、各携帯電話からは同じビデオカメラ１０１の映像しか見ることができない。それぞれの携帯電話から別々のビデオカメラ１０１の映像を監視できるようにする為には、カメラ切替装置１０３を複数台導入する必要があり、無駄が多く非経済的である。
【００１５】
また、監視室１０２は秘密管理されていることが多く、取り付け工事の業者等の第三者にはできるだけ公開したくない場合がある。しかし、既存の監視システムを改造して公衆回線を介した遠隔地への映像送信機能を付加する場合、システム導入のためには取り付け業者が監視室１０２内に立ち入って作業する必要があり、秘密管理上好ましくない。
【００１６】
そこで、本発明の目的は、既存の監視システムに対して監視室の工事を行うことなく簡便に移動体通信回線への映像送信機能を導入することが可能で、且つ複数の移動体通信から同時に遠隔監視する場合に映像送信機能の増設が手軽に任意の数だけ増設することが可能な遠隔監視用切替装置を提供することにある。
【課題を解決するための手段】
【００１７】
本発明に係る遠隔監視用切替装置の第１の構成は、複数のビデオカメラと、前記各ビデオカメラに映像伝送線により接続されたモニタ装置とを有し、前記各ビデオカメラから出力される映像信号を、前記モニタ装置により監視する監視システムにおいて、移動体通信回線に送信する映像信号が入力される中継器映像入力端子、及び前記移動体通信回線から受信されるＤＴＭＦ（Dial Tone Multi Frequency）信号が出力される中継器制御出力端子を具備し前記移動体通信回線との間で通信を行う通信回線中継器を、前記映像伝送線の途中に接続するために使用される遠隔監視用切替装置であって、前記各ビデオカメラからの映像信号が入力される複数の映像入力端子と、前記各映像入力端子に対応して設けられ、前記映像入力端子から入力された映像信号を出力する複数の映像出力端子と、前記各映像入力端子に対応して、前記映像入力端子から前記映像出力端子に接続する線に分岐して接続された映像分岐スイッチ回路と、前記各映像分岐スイッチ回路に接続された端子であって、前記通信回線中継器の中継器映像入力端子に接続される映像分岐出力端子と、前記通信回線中継器の中継器制御出力端子に接続される制御入力端子と、前記制御入力端子から入力されるＤＴＭＦ信号に基づき、当該ＤＴＭＦ信号により特定される一つの前記ビデオカメラに対応する前記映像分岐スイッチ回路を選択的に接続状態とする制御を行う分岐出力切替制御回路とを備えていることを特徴とする。
【００１８】
この構成により、監視システムに通信回線中継器を設置する場合、各ビデオカメラの映像出力線を遠隔監視用切替装置の映像入力端子に接続し、モニタ装置側の映像入力線を遠隔監視用切替装置の映像出力線に接続する。また、遠隔監視用切替装置の映像分岐出力端子に、通信回線中継器の中継器映像入力端子を接続し、遠隔監視用切替装置の制御入力端子には通信回線中継器の中継器制御出力端子を接続する。
【００１９】
携帯電話等の移動体通信端末からビデオカメラの映像を見る場合、移動体通信端末から通信回線中継器を発呼して移動体通信回線を介して接続する。そして、移動体通信端末の入力ボタンを押して、一つのビデオカメラを特定するＤＴＭＦ信号を通信回線中継器に送信する。通信回線中継器から制御入力端子に当該ＤＴＭＦ信号が入力されると、分岐出力切替制御回路は、そのＤＴＭＦ信号により特定される一つのビデオカメラに対応する映像分岐スイッチ回路をオン状態として、他の映像分岐スイッチ回路をオフ状態とする。これにより、ＤＴＭＦ信号により特定されるビデオカメラの映像が、映像分岐出力端子から通信回線中継器へ出力され、移動体通信回線を介して移動体通信端末へ送信される。こうして、移動体通信端末からビデオカメラの映像を見ることができる。
【００２０】
このように、本発明に係る遠隔監視用切替装置は、既設の監視システムにおけるビデオカメラからモニタ装置に至る映像伝送線の途中に挿入して設置することができるので、モニタ装置が設置された監視室内での工事が不要である。また、各伝送線（カメラ側及びモニタ装置側の映像伝送線、中継器映像入力端子と映像分岐出力端子との間の映像伝送線、及び中継器制御出力端子と制御入力端子との間の制御用伝送線）を各端子に接続するだけで設置することができるので、設置作業が簡単である。そして、通信回線中継器は、移動体通信回線の通信サービス・エリア内であればどこにでも設置することが可能である。従って、通信回線中継器の設置場所の自由度は大きく、設置場所の状況に合わせて設置することができる。
【００２１】
また、ＤＴＭＦ信号を利用して、遠隔からビデオカメラの選択が可能である。そのため、複数のビデオカメラを用いて遠隔から監視を行うことができる。
【００２２】
また、複数の移動体通信端末から同時にビデオカメラの映像を監視したい場合には、ビデオカメラからモニタ装置に至る映像伝送線の途中に、複数の遠隔監視用切替装置を直列（チェーン状）に連ねて接続していけばよい。従って、通信回線中継器の増設や削減を極めて簡単に行うことができる。また、遠隔監視用切替装置が直列に接続されていくため、接続可能な通信回線中継器の数に制限はない。従って、用途に応じて任意の数の移動体通信端末からの監視ができるようにすることが可能となる。
【００２３】
更に、複数の遠隔監視用切替装置を直列接続した場合、それぞれの遠隔監視用切替装置は、それぞれが映像分岐スイッチ回路と分岐出力切替回路を備えている。従って、それぞれの遠隔監視用切替装置ごとに送信出力するビデオカメラを選択することが可能であり、各移動体通信端末から別々のビデオカメラの映像を同時に監視することができる。
【００２４】
ここで、移動体通信回線は、第３世代携帯電話システム（ＩＴＵ(国際電気通信連合)により定められたＩＭＴ−２０００標準に準拠したデジタル携帯電話システム）のように、ビデオ映像の通信が可能な通信容量を持った通信回線が使用される。「通信回線中継器」は、遠隔監視用切替装置と上記移動体通信回線との中継を行う装置をいう。「通信回線中継器」としては、例えば、ＦＯＭＡ（登録商標）カード型端末を装着した株式会社ハギワラシスコム製の「ビュワーポート（商品名）」などが挙げられる。なお、ＦＯＭＡ（Freedom Of Mobile multimedia Access）とは、ＩＭＴ−２０００（International Mobile Telecommunications ２０００）というＩＴＵ（国際電気通信連合）で策定された第３世代移動通信方式の規格のひとつであるＷ−ＣＤＭＡという方式を採用した携帯電話サービスであって、株式会社エヌ・ティー・ティー・ドコモにより採用されている携帯電話サービスである。また、移動体通信端末としては、携帯電話やＰＤＡなどが用いられる。
【００２５】
本発明に係る遠隔監視用切替装置の第２の構成は、複数のビデオカメラと、前記各ビデオカメラに映像伝送線及び音声伝送線により接続されたモニタ装置とを有し、前記各ビデオカメラから出力される映像信号及び音声信号を、前記モニタ装置により監視する監視システムにおいて、移動体通信回線に送信する映像信号が入力される中継器映像入力端子、前記移動体通信回線に送信する音声信号が入力される中継器音声入力端子、及び前記移動体通信回線から受信されるＤＴＭＦ信号が出力される中継器制御出力端子を具備し前記移動体通信回線との間で通信を行う通信回線中継器を、前記映像伝送線及び前記音声伝送線の途中に接続するために使用される遠隔監視用切替装置であって、前記各ビデオカメラからの映像信号が入力される複数の映像入力端子と、前記各映像入力端子と対となって設けられ、前記各ビデオカメラからの音声信号が入力される複数の音声入力端子と、前記各映像入力端子に対応して設けられ、前記映像入力端子から入力された映像信号を出力する複数の映像出力端子と、前記各音声入力端子に対応して設けられ、前記音声入力端子から入力された音声信号を出力する複数の音声出力端子と、前記各映像入力端子に対応して、前記映像入力端子から前記映像出力端子に接続する線に分岐して接続された映像分岐スイッチ回路と、前記各音声入力端子に対応して、前記音声入力端子から前記音声出力端子に接続する線に分岐して接続された音声分岐スイッチ回路と、前記各映像分岐スイッチ回路に接続された端子であって、前記通信回線中継器の中継器映像入力端子に接続される映像分岐出力端子と、前記各音声分岐スイッチ回路に接続された端子であって、前記通信回線中継器の中継器音声入力端子に接続される音声分岐出力端子と、前記通信回線中継器の中継器制御出力端子に接続される制御入力端子と、前記制御入力端子から入力されるＤＴＭＦ信号に基づき、当該ＤＴＭＦ信号により特定される一つの前記ビデオカメラに対応する前記映像分岐スイッチ回路を選択的に接続状態とするとともに、当該ビデオカメラに対応する音声分岐スイッチ回路を選択的に接続状態とする制御を行う分岐出力切替制御回路とを備えていることを特徴とする。
【００２６】
この構成により、映像のみならず音声も遠隔の移動体通信端末へ送信することが可能となる。従って、例えば、玄関のインターフォンなどに適用することによって、留守中に来客があった場合でも外出先から移動体通信端末を使って応対する等の用途に使用することが可能となる。
【発明の効果】
【００２７】
以上のように、本発明に係る遠隔監視用切替装置は、既存の監視システムに対してモニタ装置が設置されている監視室の外部の各映像出力線の中間に接続し、ビデオカメラの映像を移動体通信回線に送信する通信回線中継器を接続することができる。そのため、監視室内の工事を行うことなく簡便に通信回線中継器を接続することが可能となる。
【００２８】
また、通信回線中継器及び移動体通信回線を介して移動体通信端末へ送信するビデオカメラの映像は、移動体通信端末から送られるＤＴＭＦ信号により切り換えることができる。これにより、複数のビデオカメラの映像を遠隔的に切り替えて監視することが可能となる。
【００２９】
また、複数の移動体通信端末から同時にビデオカメラの映像を監視したい場合には、ビデオカメラからモニタ装置に至る映像伝送線の途中に、複数の遠隔監視用切替装置を直列接続していけばよいので、通信回線中継器の増設や削減を極めて簡単に行うことができる。また、遠隔監視用切替装置が直列に接続されていくため、接続可能な通信回線中継器の数に制限はなく、用途に応じて任意の数の移動体通信端末からの監視ができるようにすることが可能となる。
【００３０】
更に、複数の遠隔監視用切替装置を直列接続した場合、それぞれの遠隔監視用切替装置は、それぞれの遠隔監視用切替装置ごとに送信出力するビデオカメラを選択することが可能であり、各移動体通信端末から別々のビデオカメラの映像を同時に監視することができる。
【発明を実施するための最良の形態】
【００３１】
以下、本発明を実施するための最良の形態について、図面を参照しながら説明する。
【実施例１】
【００３２】
図１は、本発明の実施例１に係る遠隔監視システムの構成を表すブロック図である。遠隔監視システム１は、複数のビデオカメラ２、モニタ装置３、映像信号線４、音声信号線５、遠隔監視用切替装置６、通信回線中継器７、及び移動体通信端末８を備えている。
【００３３】
各ビデオカメラ２は、監視対象となる各所に設置されている。各ビデオカメラ２は、監視対象場所の映像を撮影するとともに音声を検出し、映像信号及び音声信号としてそれぞれ映像信号線４、音声信号線５に出力する。そして、各ビデオカメラ２は、これら映像信号線４及び音声信号線５を介してモニタ装置３に接続されている。
【００３４】
モニタ装置３は、監視室内に設置される。このモニタ装置３は、カメラ切替装置３ａ、録画装置３ｂ、及びディスプレイ３ｃを備えている。
【００３５】
カメラ切替装置３ａには、各映像信号線４及び各音声信号線５が接続されている。カメラ切替装置３ａは、これらの信号線に接続されたビデオカメラ２の一つを選択して当該ビデオカメラ２が出力する映像信号及び音声信号を録画装置３ｂに出力する。
【００３６】
録画装置３ｂは、カメラ切替装置３ａを介して入力されるビデオカメラ２の映像・音声信号をビデオテープ等に録画する。ディスプレイ３ｃは、録画装置３ｂに入力される映像信号を表示する。
【００３７】
遠隔監視用切替装置６は、各映像信号線４及び各音声信号線５の途中に接続されている。図１の例では、複数台の遠隔監視用切替装置６が直列に接続されているが、接続する遠隔監視用切替装置６の数は用途に応じて自由に変えることができる。遠隔監視用切替装置６は、各映像信号線４及び各音声信号線５を分岐・選択して一組の映像信号及び音声信号を取り出して、映像信号線４ｃ及び音声信号線５ｃを介して通信回線中継器７に出力する。
【００３８】
通信回線中継器７は、映像信号線４ｃ、音声信号線５ｃ、及び制御信号線１０により遠隔監視用切替装置６に接続されている。通信回線中継器７は、映像信号線４ｃ及び音声信号線５ｃから入力される映像信号、音声信号を移動体通信回線９へライブ的（連続的）に無線送信する。また、通信回線中継器７は、移動体通信回線９を介して移動体通信端末８から送られるＤＴＭＦ信号を受信し、制御信号線１０を介して遠隔監視用切替装置６へ出力する。
【００３９】
尚、本実施例では通信回線中継器７は、移動体通信回線９と無線接続されたものを使用しているが、これは有線接続されたものであってもかまわない。
【００４０】
図２は、本発明の実施例１に係る遠隔監視用切替装置６の構成を表すブロック図である。図２において遠隔監視用切替装置６及び通信回線中継器７は、図１のものと同様である。遠隔監視用切替装置６は、複数の映像入力端子１５、映像信号線１６、映像出力端子１７、映像信号出力バッファ１８、音声入力端子１９、音声信号線２０、音声出力端子２１、音声信号出力バッファ２２、映像分岐スイッチ回路２３、及び音声分岐スイッチ回路２６、並びに、映像分岐出力バッファ２４、映像分岐出力端子２５、音声分岐出力バッファ２７、音声分岐出力端子２８、制御入力端子２９、及び分岐出力切替制御回路３０を備えている。また、通信回線中継器７は、映像入力端子（中継器映像入力端子）３１、音声入力端子（中継器音声入力端子）３２、及び制御出力端子（中継器制御出力端子）３３を備えている。
【００４１】
各映像入力端子１５は、それぞれのビデオカメラ２側の映像信号線４に接続される。各映像入力端子１５は、遠隔監視用切替装置６内部の映像信号線１６により、映像信号出力バッファ１８を介して、各映像出力端子１７に接続されている。
【００４２】
各音声入力端子１９は、それぞれの映像入力端子１５に対して１対１の関係となるように設けられている。各音声入力端子１９は、それぞれのビデオカメラ２側の音声信号線５に接続される。各音声入力端子１９は、遠隔監視用切替装置６内部の音声信号線２０により、音声信号出力バッファ２２を介して、各音声出力端子２１に接続されている。
【００４３】
各映像分岐スイッチ回路２３は、それぞれの映像入力端子１５に対して１対１の関係となるように設けられている。各映像分岐スイッチ回路２３の一端は、それぞれ、対応する映像信号線１６に分岐して接続されている。すべての映像分岐スイッチ回路２３の他端は、映像分岐出力バッファ２４を介して映像分岐出力端子２５に接続されている。
【００４４】
各音声分岐スイッチ回路２６は、それぞれの音声入力端子１９に対して１対１の関係となるように設けられている。各音声分岐スイッチ回路２６の一端は、それぞれ、対応する音声信号線２０に分岐して接続されている。すべての音声分岐スイッチ回路２６の他端は、音声分岐出力バッファ２７を介して音声分岐出力端子２８に接続されている。
【００４５】
映像分岐出力端子２５、音声分岐出力端子２８は、それぞれ、映像信号線４ｃ、音声信号線５ｃにより、通信回線中継器７の映像入力端子３１、音声入力端子３２に接続されている。
【００４６】
一方、制御入力端子２９は、通信回線中継器７の制御出力端子３３に接続されている。制御入力端子２９には、通信回線中継器７から、映像入力端子１５のうちの一つを特定するＤＴＭＦ信号（トーン信号）が入力される。このＤＴＭＦ信号は、分岐出力切替制御回路３０に入力される。分岐出力切替制御回路３０は、ＤＴＭＦ信号により特定される映像入力端子１５に対応する映像分岐スイッチ回路２３及び音声分岐スイッチ回路２６を選択的に接続状態とする制御を行う。
【００４７】
図３は、図２の遠隔監視用切替装置の正面パネルにおける各接続端子の配置を表す図である。この例においては、映像入力端子１５、音声入力端子１９、映像出力端子１７、及び音声出力端子２１は、それぞれ８つずつ設けられている。以下、これら８つの端子の番号を、それぞれ、１チャンネル〜８チャンネルと呼ぶ。
【００４８】
この例では、映像入力端子１５、映像出力端子１７、音声入力端子１９、音声出力端子２１、映像分岐出力端子２５、音声分岐出力端子２８には、コンポジット端子（ＲＣＡ端子）が使用されている。また、制御入力端子２９はＤ−ＳＵＢコネクタが使用されている。
【００４９】
ビデオカメラ２側の各映像信号線４及び音声信号線５、並びにモニタ装置３側の各映像信号線４及び音声信号線５は、これらの映像入力端子１５、音声入力端子１９、映像出力端子１７、及び音声出力端子２１にプラグを差し込むことにより容易に接続することができる。また、通信回線中継器７は、映像信号線４ｃ及び音声信号線５ｃのプラグを映像分岐出力端子２５及び音声分岐出力端子２８に差し込むとともに、制御信号線１０のＤ−ＳＵＢコネクタを制御入力端子２９に接続するだけで、容易に接続することができる。従って、遠隔監視用切替装置６及び通信回線中継器７の設置は極めて容易である。
【００５０】
以上のように構成された本実施例の遠隔監視システムについて、以下その動作を説明する。図４は、本発明の実施例１に係る遠隔監視システムの動作を表す図である。
【００５１】
最初に、各ビデオカメラ２は、モニタ装置３に対して、常時、映像信号及び音声信号を出力しているものとする。
【００５２】
移動体通信端末８からビデオカメラ２の映像を見たい場合、使用者は、まず移動体通信端末８を操作して通信回線中継器７に対して発呼する（Ｓ１）。これは、通常の電話をかける場合と同様である。通信回線中継器７は、移動体通信端末８からの呼を受けるとると（Ｓ２）、移動体通信回線９への接続を開始する（Ｓ３，Ｓ４）。
【００５３】
初期状態では、分岐出力切替制御回路３０は、１チャンネルを選択している。従って、遠隔監視用切替装置６から通信回線中継器７へは、１チャンネルの映像信号及び音声信号が出力される（Ｓ５）。通信回線中継器７は、遠隔監視用切替装置６から入力される１チャンネルの映像・音声信号をデジタル化及びパケット化して、移動体通信回線９を介して移動体通信端末８へ送信する（Ｓ６）。移動体通信端末８はこの映像・音声信号を受信して、画面及びスピーカーから映像・音声を出力する（Ｓ７）。
【００５４】
次に、他のチャンネルのビデオカメラの映像を見たい場合、使用者は、移動体通信端末８のボタンからそのチャンネル番号ｘを入力する（Ｓ８）。移動体通信端末８は、入力されたチャンネル番号ｘに対応するＤＴＭＦ信号を、移動体通信回線９を介して通信回線中継器７に送信する（Ｓ９）。
【００５５】
通信回線中継器７は、ＤＴＭＦ信号が着信すると（Ｓ１０）、制御信号線１０を介して遠隔監視用切替装置６に対して当該ＤＴＭＦ信号を出力する（Ｓ１１）。
【００５６】
遠隔監視用切替装置６の分岐出力切替制御回路３０は、通信回線中継器７からＤＴＭＦ信号が入力されると（Ｓ１２）、当該ＤＴＭＦ信号により特定されるｘチャンネルの映像分岐スイッチ回路２３、音声分岐スイッチ回路２６を接続状態とし、それ以外の映像分岐スイッチ回路２３、音声分岐スイッチ回路２６を切断状態とする（Ｓ１３）。
【００５７】
この切り替えによって、遠隔監視用切替装置６から通信回線中継器７へは、ｘチャンネルの映像信号及び音声信号が出力され始める。通信回線中継器７は、遠隔監視用切替装置６から入力されるｘチャンネルの映像・音声信号を、移動体通信回線９を介して移動体通信端末８へ送信する。移動体通信端末８はこの映像・音声信号を受信して、画面及びスピーカーから映像・音声を出力する。これにより、使用者はｘチャンネルのビデオカメラ２の映像を見ることができる。
【図面の簡単な説明】
【００５８】
【図１】本発明の実施例１に係る遠隔監視システムの構成を表すブロック図である。
【図２】本発明の実施例１に係る遠隔監視用切替装置の構成を表すブロック図である。
【図３】図２の遠隔監視用切替装置の正面パネルにおける各接続端子の配置を表す図である。
【図４】本発明の実施例１に係る遠隔監視システムの動作を表す図である。
【図５】従来広く使用されている監視システムを表す図である。
【図６】特許文献１記載の遠隔監視システム（緊急通報監視システム）の構成を表す図である。
【符号の説明】
【００５９】
１  遠隔監視システム
２  ビデオカメラ
３  モニタ装置
３ａ  カメラ切替装置
３ｂ  録画装置
３ｃ  ディスプレイ
４，４ｃ  映像信号線
５，５ｃ  音声信号線
６  遠隔監視用切替装置
７  通信回線中継器
８  移動体通信端末
９  移動体通信回線
９ａ，９ｂ  基地局
１０  制御信号線
１５  映像入力端子
１６  映像信号線
１７  映像出力端子
１８  映像信号出力バッファ
１９  音声入力端子
２０  音声信号線
２１  音声出力端子
２２  音声信号出力バッファ
２３  映像分岐スイッチ回路
２４  映像分岐出力バッファ
２５  映像分岐出力端子
２６  音声分岐スイッチ回路
２７  音声分岐出力バッファ
２８  音声分岐出力端子
２９  制御入力端子
３０  分岐出力切替制御回路
３１  映像入力端子（中継器映像入力端子）
３２  音声入力端子（中継器音声入力端子）
３３  制御出力端子（中継器制御出力端子）
【図１】
2006042093.tif 000003
【図２】
2006042093.tif 000004
【図３】
2006042093.tif 000005
【図４】
2006042093.tif 000006
【図５】
2006042093.tif 000007
【図６】
2006042093.tif 000008